(57)【要約】【課題】用紙が交換されたことを正確に判断して、手書きで記入された内容を正しく処理することが可能な手書き入力装置、記入内容処理プログラムおよび記入内容処理方法を提供する。【解決手段】手書き入力装置は、用紙を載置可能な載置面と、載置面上の用紙に記入が行われるとき、当該記入の内容を検出する検出部と、載置面上の用紙の交換を検知する用紙交換検知部と、用紙交換検知部の検知結果の真偽を判断する判断部と、判断部の判断結果に基づいて、検出部により検出された記入の内容を処理する処理部と、を備える。【選択図】図３
2016099701.tif 000002
【特許請求の範囲】
【請求項１】
用紙を載置可能な載置面と、
前記載置面上の用紙に記入が行われるとき、当該記入の内容を検出する検出部と、
前記載置面上の用紙の交換を検知する用紙交換検知部と、
前記用紙交換検知部の検知結果の真偽を判断する判断部と、
前記判断部の判断結果に基づいて、前記検出部により検出された前記記入の内容を処理する処理部と、
を備える手書き入力装置。
【請求項２】
前記判断部は、前記用紙交換検知部により用紙の交換が検知される前および後において前記検出部により検出された前記記入の内容に基づいて、前記用紙交換検知部の検知結果の真偽を判断する、
請求項１に記載の手書き入力装置。
【請求項３】
前記判断部は、前記用紙交換検知部により用紙の交換が検知される前および後において前記記入が行われた前記用紙上の位置に基づいて、前記用紙交換検知部の検知結果の真偽を判断する、
請求項２に記載の手書き入力装置。
【請求項４】
前記判断部は、前記用紙交換検知部により用紙の交換が検知される前および後において前記記入が行われた前記用紙上の位置および前記記入が行われた時間に基づいて、前記用紙交換検知部の検知結果の真偽を判断する、
請求項２に記載の手書き入力装置。
【請求項５】
前記用紙交換検知部により用紙の交換が検知された場合、当該用紙の交換を行ったか否かについて、ユーザーによる確認入力を受け付ける確認入力受付部を備え、
前記判断部は、前記確認入力受付部により受け付けられた前記確認入力に応じて、前記用紙交換検知部の検知結果の真偽を判断する、
請求項１に記載の手書き入力装置。
【請求項６】
前記処理部は、前記判断部により前記用紙交換検知部の検知結果が偽と判断された場合、前記用紙交換検知部により用紙の交換が検知される前および後において前記検出部により検出された前記記入の内容を合成する、
請求項１〜５の何れか１項に記載の手書き入力装置。
【請求項７】
コンピューターに、
用紙を載置可能な載置面上の用紙に記入が行われるとき、当該記入の内容を検出する処理を実行させ、
前記載置面上の用紙の交換を検知する処理を実行させ、
前記検知の結果の真偽を判断する処理を実行させ、
前記判断の結果に基づいて、検出された前記記入の内容を処理させるための記入内容処理プログラム。
【請求項８】
用紙を載置可能な載置面上の用紙に記入が行われるとき、当該記入の内容を検出し、
前記載置面上の用紙の交換を検知し、
前記交換の検知結果の真偽を判断し、
前記判断の結果に基づいて、検出された前記記入の内容を処理する、
記入内容処理方法。
【発明の詳細な説明】
【技術分野】
【０００１】
本発明は、手書き入力装置、記入内容処理プログラムおよび記入内容処理方法に関する。
【背景技術】
【０００２】
近年、例えばペンを用いて用紙に手書きで記入された内容を、記入と同時に電子化し、電子化した電子データと当該用紙に対応する電子フォームとを合成することによって、記入された用紙と同じ電子文書データを作成可能な手書き入力装置が提案されている（例えば、特許文献１を参照）。この手書き入力装置は、デジタイザを備えており、デジタイザ上に載置された用紙にペンによる記入が行われると、デジタイザがペンの押圧を検知し、当該押圧を検知した位置の移動軌跡を手書きデータ（電子データ）として入力することができる。
【０００３】
このような手書き入力装置では、タッチパネル上で、あるページに対応する用紙が次のページに対応する用紙に交換される場合、言い換えるとページが送られる場合、交換前の用紙に記入された内容と交換後の用紙に記入された内容とを区別するために、用紙が交換されたことを正確に検出する必要がある。そこで、手書き入力装置にページ送りボタンを設け、このボタンがユーザーに押下されたことを検知して、ページが送られたことを検出することが考えられる。また、タッチパネル上に用紙を保持するクリップを設けるとともに、当該クリップの開閉動作に連動してオンオフするスイッチを設け、ユーザーが用紙をクリップから外して当該用紙を交換することで、当該クリップの開閉動作に連動してスイッチが作動したことを検知して、ページが送られたことを検出することが考えられる。
【０００４】
一方、特許文献２には、記載内容を電子データ化して記録する電子筆記装置が開示されている。特許文献２に記載の電子筆記装置は、載置部に載置された用紙のうち、当該用紙の上端部を拘束する押圧バネと、載置部上の用紙の有無を検出するためのフォトセンサーと、を有する。
【先行技術文献】
【特許文献】
【０００５】
【特許文献１】特開２００７−３０５１０９号公報
【特許文献２】特開２０１３−０５７９８９号公報
【発明の概要】
【発明が解決しようとする課題】
【０００６】
しかしながら、上述したような、手書き入力装置にページ送りボタンを設ける構成では、ページ送りボタンに誤ってユーザーの手が触れることによって当該ページ送りボタンが押下された場合、実際には用紙は交換されていないにもかかわらず、ユーザーの意図に反して、用紙は交換されたと誤判定してしまうという問題がある。また、クリップの開閉に連動するスイッチによりページ送りを検出する場合には、タッチパネル上で用紙の位置ずれが発生した際に同様の問題が生じる。すなわち、ユーザーが用紙の位置ずれを解消するために一度クリップから用紙を離して付け直すと、当該クリップの開閉動作にスイッチが連動してしまう。その結果、手書き入力装置は、実際には用紙は交換されていないにもかかわらず、ユーザーの意図に反して、用紙は交換されたと誤判定してしまう。したがって、手書き入力装置内において、本来１ページであるべき手書きデータが、別々のページの手書きデータとして存在してしまう。
【０００７】
また、特許文献２に記載の技術では、フォトセンサーを用いて載置部における用紙の有無を検出することはできるが、例えば、用紙がめくれ上がっただけでも用紙無しと判断されてしまうので、やはり、用紙が交換されたことを正確に判断することはできない。
【０００８】
本発明の目的は、用紙が交換されたことを正確に判断して、手書きで記入された内容を正しく処理することが可能な手書き入力装置、記入内容処理プログラムおよび記入内容処理方法を提供することである。
【課題を解決するための手段】
【０００９】
本発明に係る手書き入力装置は、
用紙を載置可能な載置面と、
前記載置面上の用紙に記入が行われるとき、当該記入の内容を検出する検出部と、
前記載置面上の用紙の交換を検知する用紙交換検知部と、
前記用紙交換検知部の検知結果の真偽を判断する判断部と、
前記判断部の判断結果に基づいて、前記検出部により検出された前記記入の内容を処理する処理部と、
を備える。
【００１０】
本発明に係る記入内容処理プログラムは、
コンピューターに、
用紙を載置可能な載置面上の用紙に記入が行われるとき、当該記入の内容を検出する処理を実行させ、
前記載置面上の用紙の交換を検知する処理を実行させ、
前記検知の結果の真偽を判断する処理を実行させ、
前記判断の結果に基づいて、検出された前記記入の内容を処理させる。
【００１１】
本発明に係る記入内容処理方法は、
用紙を載置可能な載置面上の用紙に記入が行われるとき、当該記入の内容を検出し、
前記載置面上の用紙の交換を検知し、
前記検知の結果の真偽を判断し、
前記判断の結果に基づいて、検出された前記記入の内容を処理する。
【発明の効果】
【００１２】
本発明によれば、用紙の交換の検知結果について真偽を判断してから、当該判断の結果に基づいて、用紙に記入された内容が処理される。よって、実際には用紙は交換されていないにもかかわらず、ユーザーの意図に反して、用紙は交換されたと誤判定されてしまい、本来１ページであるべき手書きデータが、別々のページの手書きデータとして存在してしまうことを防止することができる。以上より、用紙が交換されたことを正確に判断して、手書きで記入された内容を正しく処理することができる。
【図面の簡単な説明】
【００１３】
【図１】実施の形態１における手書き入力装置の全体構成を概略的に示す図である。
【図２】実施の形態１における手書き入力装置の制御系の主要部を示す図である。
【図３】実施の形態１における手書き入力装置の制御部が実行する記入内容処理を示すフローチャートである。
【図４】複数の入力指定領域が設定されている用紙を示す図である。
【図５】実施の形態１における手書き入力装置の真偽判断処理を示すフローチャートである。
【図６】タッチパネルに対する手書きデータの入力例を説明する図である。
【図７】タッチパネルに対する手書きデータの他の入力例を説明する図である。
【図８】実施の形態２における手書き入力装置の全体構成を概略的に示す図である。
【図９】実施の形態２における手書き入力装置の制御系の主要部を示す図である。
【図１０】実施の形態２における手書き入力装置の真偽判断処理を示すフローチャートである。
【発明を実施するための形態】
【００１４】
以下、本発明の実施の形態を図面に基づいて詳細に説明する。
【００１５】
（実施の形態１）
図１は、実施の形態１における手書き入力装置１０の全体構成を概略的に示す図である。図２は、本実施の形態における手書き入力装置１０の制御系の主要部を示す。図１、２に示す手書き入力装置１０は、各部の制御を行うための制御部１１と、外部機器との間で各種情報を送受信するための通信Ｉ／Ｆ部１２と、感圧式のタッチパネル１３と、あるページに対応する用紙３０を次のページに対応する用紙３０に交換した際にユーザーが押下するページ送りボタン１４と、ページ送りボタン１４が押下されたことを検知してページ送り信号を制御部１１に出力する用紙交換検知部１５と、タッチパネル１３の表面、すなわち用紙３０を載置可能な載置面上に用紙３０を保持するためのクリップ等の保持部１６とを備える。図１Ａに示すように、ユーザーは、例えばボールペンのようなペン２０を用いて、タッチパネル１３上に載置された用紙３０に手書きで記入する。タッチパネル１３は、ペン２０の押圧を検知し、図１Ｂに示すように、当該押圧を検知した位置の移動軌跡を示す手書き情報１７を手書きデータ（電子データ）として入力する。
【００１６】
制御部１１は、ＣＰＵ（Central Processing Unit）１１ａと、ＲＯＭ（Read Only Memory）１１ｂやＲＡＭ（Random Access Memory）１１ｃなどのメモリと、ＨＤＤ（Hard Disk Drive）やＳＳＤ（Solid State Drive）、ＳＤ（Secure Digital）カードなどの記憶部１１ｄとを備えて構成される。ＣＰＵ１１ａは、ＲＯＭ１１ｂや記憶部１１ｄに記憶した記入内容処理プログラムをＲＡＭ１１ｃに展開して実行し、手書き入力装置１０の全体制御を行う。また、ＲＡＭ１１ｃは、用紙３０に手書きで記入が行われた際に、手書き情報１７を記憶する入力バッファとしても機能する。制御部１１は、記憶部１１ｄに記憶した記入内容処理プログラムに基づき、タッチパネル１３により検知されたペン２０の押圧の位置軌跡、強度（筆圧）および範囲から用紙３０に記入された内容を特定する。なお、本実施の形態において、制御部１１は、用紙交換検知部１５の検知結果の真偽を判断する判断部、および、判断部の判断結果に基づいて、検出部により検出された記入の内容を処理する処理部として機能する。判断部と処理部はそれぞれ別個のハードウェアで構成されていても良い。
【００１７】
通信Ｉ／Ｆ部１２は、ＮＩＣ（Network Interface Card）やモデム等であり、Ethernet（登録商標）やＮＦＣ（Near Field Communication）、Bluetooth（登録商標）、TransferJet（登録商標）等の規格に従って、有線や無線により、手書きデータの転送先のコンピューター装置等との通信を可能にする。
【００１８】
感圧式のタッチパネル１３は、例えば、デジタルマトリクス抵抗膜式のタッチパネルであり、用紙３０の上からのペン２０による押圧を検知して、ユーザーによる筆記具を用いた記入動作により、用紙３０上に記入された文字や図形等に対応する情報の入力を受ける。すなわちタッチパネル１３は、用紙３０に手書きで記入が行われるとき、その記入内容を検出する検出部として機能する。なお、本実施の形態では、感圧式のタッチパネル１３を用いる例について説明するが、記入された内容を検出する方式は圧力検出方式に限らず、赤外線光学イメージング方式、超音波方式、赤外線／超音波検出方式、電磁誘導方式等であっても良い。本実施の形態では、タッチパネル１３の方式が感圧式、より具体的にはデジタルマトリクス抵抗膜式であるため、ボールペン、シャープペンシルまたは鉛筆等のような一般的な筆記用具の代わりにスタイラスペンや指を用いても、用紙３０への記入動作を検出することができる。また、押圧部の面積や押圧力を検知することで接触体の種類を推定することができ、鉛筆・指・消しゴム等の判別を行うことができる。なお、本実施の形態において、「記入動作」とは、筆記具を用いて文字や図形等を用紙３０に記入することによって、タッチパネル１３を介して上記文字や図形等に対応する情報が手書き入力装置１０に入力される動作のみに限定されず、筆記具と消しゴムとを併用して用紙３０への文字や図形等の記入を完成させる際に、タッチパネル１３を介して上記完成した文字や図形等に対応する情報が手書き入力装置１０に入力される動作も含む。また、本明細書では、消しゴムで用紙３０上の文字や図形を消去する際に、タッチパネル１３を通じて消しゴムの移動軌跡を検知し、入力済みの文字や図形に相当する情報から消しゴムの移動軌跡に応じて消去を行う動作も「記入動作」と呼ぶことがある。
【００１９】
保持部１６は、タッチパネル１３上に用紙３０を保持する。より具体的には、保持部１６は、その一端に設けられた回動軸が手書き入力装置１０の筐体に固定され、バネや保持部１６の材料が有する撓み性等により、他端が回動して用紙３０を押圧するように構成されている。用紙３０を交換する場合は、保持部１５の他端に設けた開口部に指を入れて持ち上げるように保持部１５を回動させる。すなわち、ユーザーは、保持部１６を開閉させることによって、保持部１６に用紙３０の上端部付近を保持させたり、用紙３０を取り替えたりする。また、保持部１６は、その一端が手書き入力装置１０の筐体に固定される構成に限らず、磁石等を用いてタッチパネル１３上に用紙３０を保持する構造としても良い。なお、タッチパネル１３の用紙載置面に、用紙３０の滑りを防止するような加工を施したり、用紙３０の滑りを防止するためのシート状の摩擦力付与部材を貼り付けたりしても良い。
【００２０】
次に、実施の形態１において、タッチパネル１３上に載置されている用紙３０に記入された内容を処理する記入内容処理について説明する。図３は、実施の形態１における、制御部１１が記入内容処理プログラムに基づいて実行する、記入内容処理を示すフローチャートである。本処理は、例えば手書き入力装置１０の電源がオンされることにより開始する。ここで、用紙３０には、図４に示すように、複数の入力指定領域が示されている。具体的に、用紙３０には、問題１に対する回答を記入するためのチェックボックスである入力指定領域４０と、問題２に対する回答を記入するためのチェックボックスである入力指定領域４２と、問題３に対する回答を記入するための記入欄である入力指定領域４４とをそれぞれ示す枠線が予め印刷されている。
【００２１】
まず、制御部１１は、用紙３０に対応する電子フォームデータを、第ｎページ（ｎは自然数）に対応する入力用データとして生成する（ステップＳ１００）。
【００２２】
次に、制御部１１は、タッチパネル１３からの出力信号に基づいて、タッチパネル１３に手書きデータが入力されたか否かを判定する（ステップＳ１１０）。タッチパネル１３に手書きデータが入力されていない場合（ステップＳ１１０、ＮＯ）、終了の指示があるまで手書き入力待ちとなる（ステップＳ１２０にてＮＯ、ステップＳ１１０にてＮＯを繰り返す）。一方、タッチパネル１３に手書きデータが入力された場合（ステップＳ１１０、ＹＥＳ）、制御部１１は、第ｎページの入力用データに、タッチパネル１３に入力された手書きデータを追加するとともに（ステップＳ１３０）、後述する入力時間差を計測するために、手書きデータの入力完了時からの経過時間の計測を開始する（ステップＳ１４０）。
【００２３】
次に、ステップＳ１５０では、制御部１１は、用紙交換検知部１５からページ送り信号が出力されたか否かを確認する。ページ送り信号が検知された場合（ステップＳ１５０、ＹＥＳ）、制御部１１は、次の手書きデータ入力の有無を検知し（ステップＳ１６０）、終了の指示があるまで入力待ちとなる（ステップＳ１６０にてＮＯ、ステップＳ１７０にてＮＯを繰り返す）。
【００２４】
制御部１１は、タッチパネル１３に入力された手書きデータに基づいて、ステップＳ１５０で検知したページ送り信号（つまり、用紙交換を示す信号）が実際の用紙交換に基づくものであったか否か、つまり、用紙交換検知部１５の検知結果の真偽を判断する（ステップＳ１８０）。この真偽判断処理について具体的に説明する。図５は、ステップＳ１８０の詳細な処理、すなわち用紙交換の真偽判断処理を示すフローチャートである。
【００２５】
まず、制御部１１は、用紙３０の入力指定領域４０，４２，４４に対応するタッチパネル１３上の各領域への入力有無を確認する（ステップＳ４００）。このとき、ページ送り信号の前後の手書き入力データを、一旦、それぞれ連続する別々のページであるとみなして確認を行う。次に、入力が消しゴムのみによるものか否かを判定し（ステップＳ４１０）、消しゴムのみである場合は（ステップＳ４１０、ＹＥＳ）、記入動作が消しゴムを用いた消去である、つまり、記入したのと同じページの記入内容の少なくとも一部をユーザーが消去しようとしており、用紙交換はされていないと判断する（ステップＳ４８０）。一方、記入が消しゴムのみによるものではない場合はペンなどの筆記具によるものと判断し（ステップＳ４１０、ＮＯ）、ステップＳ４２０に遷移する。そして、ステップＳ４２０において、制御部１１は、入力有りの入力指定領域４０、４２、４４が２つのページ間で重なるか否かを判定する。
【００２６】
図６Ａは、入力有りの入力指定領域４０，４２，４４が２つのページで重ならない場合において、タッチパネル１３に入力された手書きデータの一例を示す図である。図６Ａに示すように、第ｎページの入力指定領域４０，４２、および、第ｎ＋１ページの入力指定領域４４に入力が有る一方、第ｎページの入力指定領域４４、および、第ｎ＋１ページの入力指定領域４０，４２に入力が無い。
【００２７】
図６Ｂは、入力有りの入力指定領域４０，４２，４４が第ｎページおよび第ｎ＋１ページで重なる場合において、タッチパネル１３に入力された手書きデータの一例を示す図である。図６Ｂに示すように、第ｎページの入力指定領域４０，４２，４４、および、第ｎ＋１ページの入力指定領域４０，４２，４４、つまり全ての入力指定領域に入力が有る。
【００２８】
ステップＳ４２０の判定結果、例えば、図６Ｂのように、入力有りの入力指定領域４０，４２，４４が第ｎページおよび第ｎ＋１ページで重なる場合（ステップＳ４２０、ＹＥＳ）、制御部１１は、第ｎページに対応する用紙３０が第ｎ＋１ページに対応する用紙３０に実際に交換された（よって、用紙交換検知部１５による用紙交換検知結果は真）と判断する（ステップＳ５００）。ステップＳ５００の処理が完了することによって、手書き入力装置１０は、図５における真偽判断処理を終了する。
【００２９】
一方、ステップＳ４２０の判定結果、例えば、図６Ａのように、入力有りの入力指定領域４０，４２，４４が第ｎページおよび第ｎ＋１ページで重ならない場合（ステップＳ４２０、ＮＯ）、制御部１１は、タッチパネル１３に対して第ｎページおよび第ｎ＋１ページの手書きデータが入力された入力時間をそれぞれ取得する（ステップＳ４４０）。
【００３０】
次に、制御部１１は、第ｎ＋１ページの手書きデータが入力された入力時間と、第ｎページの手書きデータが入力された入力時間との入力時間差がＴ秒（例えば、３秒）以内であるか否かについて判定する（ステップＳ４６０）。この判定の結果、入力時間差がＴ秒以内である場合（ステップＳ４６０、ＹＥＳ）、制御部１１は、第ｎページに対応する用紙３０が第ｎ＋１ページに対応する用紙３０に実際には交換されていない（よって、用紙交換検知部１５による用紙交換検知結果は偽）と判断する（ステップＳ４８０）。ステップＳ４８０の処理が完了することによって、手書き入力装置１０は、図５における真偽判断処理を終了する。一方、入力時間差がＴ秒以内でない場合（ステップＳ４６０、ＮＯ）、制御部１１は、第ｎページに対応する用紙３０が第ｎ＋１ページに対応する用紙３０に交換された（よって、用紙交換検知部１５による用紙交換検知結果は真）と判断する（ステップＳ５００）。
【００３１】
図３のフローチャートに戻り、ステップＳ１８０における真偽判断結果が真である場合（ステップＳ１９０、ＮＯ）、処理はステップＳ２１０に遷移する。ステップＳ２１０では、制御部１１は、記入内容処理で使用するページ番号ｎの値に（ｎ＋１）の値を設定する。次に、制御部１１は、用紙３０に対応する電子フォームデータを、第ｎページに対応する入力用データとして生成する（ステップＳ２２０）。次に、制御部１１は、第ｎページの入力用データに、タッチパネル１３に入力された手書きデータを追加する（ステップＳ２３０）。その後、処理はステップＳ２４０に遷移する。
【００３２】
一方、ステップＳ１８０における真偽判断結果が偽である場合（ステップＳ１９０、ＹＥＳ）、制御部１１は、第ｎページの手書きデータに、ページ送り信号検知後に入力された手書きデータと合成し、合成された手書きデータを第ｎページの手書きデータとして更新する（ステップＳ２００）。こうして、本来１ページであるべき手書きデータが、別々のページの手書きデータとして存在してしまうことを防止する。図６Ｃは、図６Ａに示している、第ｎページの手書きデータと第ｎ＋１ページの手書きデータとを合成した手書きデータを示している。
【００３３】
なお、制御部１１は、合成前の手書きデータ、および、合成後の手書きデータの両方を記憶部１１ｄに記憶させても良い。その際、合成前の２ページに亘る手書きデータに対して、それらの手書きデータが１ページであるべき手書きデータとして判断されたことを示す識別情報を付加しても良い。これにより、ユーザー（例えば、データ管理者）は、識別情報を手掛かりにして、１ページであるべきと判断された手書きデータを容易に特定することができる。従って、必要に応じて、合成後の手書きデータを残して合成前の２ページの手書きデータを削除することができる。また、合成前の手書きデータ、および、合成後の手書きデータの両方をパソコンやスマートフォン等の外部情報機器に送信して、外部情報機器の表示部に表示させても良い。
【００３４】
ステップＳ２４０では、制御部１１は、不図示の電源スイッチのオフ操作などにより、記入内容処理の終了が指示されたか否かについて判定する。この判定の結果、記入内容処理の終了が指示された場合（ステップＳ２４０、ＹＥＳ）、手書き入力装置１０は、図３における記入内容処理動作を終了する。一方、記入内容処理の終了が指示されている場合（ステップＳ２４０、ＮＯ）、ステップＳ１１０に戻って処理が継続される。
【００３５】
以上詳しく説明したように、実施の形態１では、手書き入力装置１０は、用紙３０を載置可能な載置面と、載置面上の用紙３０に記入が行われるとき、当該記入の内容を検出する検出部（タッチパネル１３）と、載置面上の用紙３０の交換を検知する用紙交換検知部１５と、用紙交換検知部１５の検知結果の真偽を判断する判断部（制御部１１）と、判断部の判断結果に基づいて、検出部により検出された記入の内容を処理する処理部（制御部１１）とを備える。判断部は、用紙交換検知部１５により用紙３０の交換が検知される前および後において検出部により検出された記入の内容、より具体的には、記入が行われた用紙３０上の位置および記入が行われた時間に基づいて、用紙交換検知部１５の検知結果の真偽を判断する。また、処理部は、判断部により用紙交換検知部１５の検知結果が偽と判断された場合、用紙交換検知部１５により用紙３０の交換が検知される前および後において検出部により検出された記入の内容を合成する。
【００３６】
このように構成した本実施の形態によれば、用紙３０の交換の検知結果について真偽が判断され、当該判断の結果に基づいて、用紙３０に記入された内容が処理される。よって、実際には用紙３０は交換されていないにもかかわらず、ユーザーの意図に反して、用紙３０は交換されたと誤判定されてしまい、本来１ページであるべき手書きデータが、別々のページの手書きデータとして存在してしまうことを防止することができる。以上より、用紙３０が交換されたことを正確に判断して、手書きで記入された内容を正しく処理することができる。
【００３７】
なお、上述した実施の形態１において、制御部１１は、用紙３０が交換されたことをより正確に判断する観点から、用紙交換検知部１５により用紙３０の交換が検知される前および後において記入が行われた用紙３０上の位置および記入が行われた時間に基づいて、用紙交換検知部１５の検知結果の真偽を判断するようにしているが、これに限るものではない。例えば、記入が行われた時間の適切な閾値を設定しづらい場合などは、用紙交換検知部１５により用紙３０の交換が検知される前および後において記入が行われた用紙３０上の位置のみに基づいて、用紙交換検知部１５の検知結果の真偽を判断し、処理を簡素化しても良い。
【００３８】
また、実施の形態１において、制御部１１は、用紙交換検知部１５により用紙３０の交換が検知される前および後において、記入が行われた用紙３０上の位置および記入が行われた時間以外の記入の内容に基づいて、用紙交換検知部１５の検知結果の真偽を判断しても良い。例えば、図７に示すように、ユーザーによる記入の箇所が、チェックボックスのみのページと、記述欄のみのページといった全く異なるフォームを持つ用紙への記入であることを、記入内容から判断するようにしても良い。
【００３９】
また、実施の形態１では、手書き入力装置１０は、タッチパネル１３の表面上に用紙３０を保持するためのクリップ等の保持部１６を備える例について説明したが、手書き入力装置１０の構成としては、保持部１６を省いた構成も採用可能である。
【００４０】
（実施の形態２）
図８は、実施の形態２における手書き入力装置１０の全体構成を概略的に示す図である。図９は、実施の形態２における手書き入力装置１０の制御系の主要部を示す。図８、９に示す手書き入力装置１０は、実施の形態１で説明したページ送りボタン１４の代わりに、操作表示部１８および保持部１６内に内蔵されたスイッチ１９を備える点で、実施の形態１の手書き入力装置１０と相違する。
【００４１】
スイッチ１９は、保持部１６に内蔵され、あるページに対応する用紙３０が次のページに対応する用紙３０に交換される際に、保持部１６の開閉動作に連動して作動する。用紙交換検知部１５は、スイッチ１９が作動したことを検知してページ送り信号を制御部１１に出力する。
【００４２】
操作表示部１８は、例えばタッチパネル付の液晶ディスプレイ（ＬＣＤ：Liquid Crystal Display）等のサブディスプレイで構成される。操作表示部１８は、制御部１１から入力される表示制御信号に従って、各種画面を表示部１８ａに表示する。また、操作表示部１８は、ユーザーによる各種入力操作を受け付けて、操作信号を制御部１１に出力する。
【００４３】
制御部１１は、用紙交換検知部１５からページ送り信号が出力された場合、用紙３０の交換を行ったか否かについてユーザーに確認するための確認画面を表示するように操作表示部１８を制御する。図８Ｂは、操作表示部１８の表示部１８ａに表示される確認画面を示す。図８Ｂに示すように、確認画面は、用紙３０の交換を行ったことを確認入力するためのＹＥＳボタン５０と、用紙３０の交換を行っていないことを確認入力するためのＮＯボタン５２とを含む。操作表示部１８は、確認画面の表示中に、ユーザーによってＹＥＳボタン５０が押下された場合、その旨を示す操作信号を制御部１１に出力する。また、操作表示部１８は、確認画面の表示中に、ユーザーによってＮＯボタン５２が押下された場合、その旨を示す操作信号を制御部１１に出力する。なお、操作表示部１８は、用紙３０の交換を行ったか否かについて、ユーザーによる確認入力を受け付ける確認入力受付部として機能する。
【００４４】
制御部１１は、操作表示部１８から、ＹＥＳボタン５０が押下された旨を示す操作信号が出力された場合、用紙交換検知部１５の検知結果は真である、すなわち実際に用紙３０は交換されていると判断する。また、制御部１１は、操作表示部１８から、ＮＯボタン５２が押下された旨を示す操作信号が出力された場合、用紙交換検知部１５の検知結果は偽である、すなわち実際には用紙３０は交換されていないと判断する。
【００４５】
次に、実施の形態２において、タッチパネル１３上に載置されている用紙３０に記入された内容を処理する記入内容処理について説明する。実施の形態２における記入内容処理は、実施の形態１における記入内容処理（図３を参照）と比べて、ステップＳ１８０の真偽判断処理以外は同一の処理となる。よって、以下では、実施の形態２における真偽判断処理についてのみ説明し、それ以外の説明を省略する。図１０は、実施の形態２における真偽判断処理を示すフローチャートである。
【００４６】
まず、制御部１１は、用紙３０の交換を行ったか否かについてユーザーに確認するための確認画面を表示するように操作表示部１８を制御する（ステップＳ６００）。次に、操作表示部１８は、確認画面の表示中に、ユーザーによってＹＥＳボタン５０またはＮＯボタン５２が押下された旨を示す操作信号を制御部１１に出力する（ステップＳ６２０）。
【００４７】
次に、制御部１１は、操作表示部１８から出力された操作信号を参照し、確認画面の表示中に、ユーザーによってＹＥＳボタン５０が押下されたか否かについて判定する（ステップＳ６４０）。この判定結果、ユーザーによってＹＥＳボタン５０が押下された場合（ステップＳ６４０、ＹＥＳ）、制御部１１は、第ｎページに対応する用紙３０が第ｎ＋１ページに対応する用紙３０に交換されたと判断する（ステップＳ６８０）。ステップＳ６８０の処理が完了することによって、手書き入力装置１０は、図１０における真偽判断処理を終了する。
【００４８】
一方、ユーザーによってＹＥＳボタン５０が押下されていない場合（ステップＳ６４０、ＮＯ）、制御部１１は、第ｎページに対応する用紙３０が第ｎ＋１ページに対応する用紙３０に交換されていないと判断する（ステップＳ６６０）。ステップＳ６６０の処理が完了することによって、手書き入力装置１０は、図１０における真偽判断処理を終了する。
【００４９】
以上詳しく説明したように、実施の形態２では、手書き入力装置１０は、用紙交換検知部１５により用紙３０の交換が検知された場合、用紙３０の交換を行ったか否かについて、ユーザーによる確認入力を受け付ける確認入力受付部（操作表示部１８）を備える。そして、判断部（制御部１１）は、確認入力受付部により受け付けられた確認入力に応じて、用紙交換検知部１５の検知結果の真偽を判断する。
【００５０】
このように構成した本実施の形態によれば、用紙３０の交換の検知結果について真偽が判断され、当該判断の結果に基づいて、用紙３０に記入された内容が処理される。よって、実際には用紙３０は交換されていないにもかかわらず、ユーザーの意図に反して、用紙３０は交換されたと誤判定されてしまい、本来１ページであるべき手書きデータが、別々のページの手書きデータとして存在してしまうことを防止することができる。以上より、用紙３０が交換されたことを正確に判断して、手書きで記入された内容を正しく処理することができる。また、本実施の形態では、用紙交換検知部１５による検知結果を検証することによって検知結果の信頼性を確保しているので、必ずしも用紙交換検知部１５そのもの高性能化する必要がない。すなわち、高精度のセンサーを用いることで用紙交換検知部１５の高性能化を実現しようとすれば、製造コストに影響があるが、本実施の形態では、数ステップのデータ処理で実現できるので、そのような製造コストの著しい増大を回避することができる。また、用紙交換検知結果の真偽判定のための複雑な判定アルゴリズムも不要となる。
【００５１】
（その他の実施形態）
用紙３０としては、紙のみに限らず、プラスチック製のシートや、紙とプラスチックの複合材等の各種の記録媒体を用いても構わない。
【００５２】
その他、上記実施の形態１，２は、何れも本発明を実施するにあたっての具体化の一例を示したものに過ぎず、これらによって本発明の技術的範囲が限定的に解釈されてはならないものである。すなわち、本発明はその要旨、またはその主要な特徴から逸脱することなく、様々な形で実施することができる。
【符号の説明】
【００５３】
１０  手書き入力装置
１１  制御部
１１ａ  ＣＰＵ
１１ｂ  ＲＯＭ
１１ｃ  ＲＡＭ
１１ｄ  記憶部
１２  通信Ｉ／Ｆ部
１３  タッチパネル
１４  ページ送りボタン
１５  用紙交換検知部
１６  保持部
１７  手書き情報
１８  操作表示部
１９  スイッチ
２０  ペン
３０  用紙
４０，４２，４４  入力指定領域
【図１】
2016099701.tif 000003
【図２】
2016099701.tif 000004
【図３】
2016099701.tif 000005
【図４】
2016099701.tif 000006
【図５】
2016099701.tif 000007
【図６】
2016099701.tif 000008
【図７】
2016099701.tif 000009
【図８】
2016099701.tif 000010
【図９】
2016099701.tif 000011
【図１０】
2016099701.tif 000012